【事件の表示】
　特願２００３−４０５１２３「液晶表示装置用薄膜トランジスタ表示板」拒絶査定不服審判事件〔平成１６年　７月　２日出願公開、特開２００４−１８５０１１〕について、次のとおり審決する。
【結　論】
　本件審判の請求は、成り立たない。
【理　由】
　
１　手続の経緯
　
　本願は、平成１５年１２月３日（パリ条約による優先権主張　２００２年１２月３日　韓国）に特許出願したものであって、平成２２年６月２２日に手続補正がなされ、同年９月１日付けで拒絶理由が通知され、同年１２月１日に手続補正がなされ、平成２３年４月１日付けで拒絶査定がなされ、これに対し、同年７月１５日に拒絶査定不服審判請求がなされるとともに、同時に手続補正がなされたものである。
　
２　平成２２年９月１日付け拒絶理由通知の概要
　
　平成２２年９月１日付け拒絶理由通知の概要は、以下のとおりである。
「・・・
（７）本願明細書（特に［０００４］）を参酌するに、本願発明が解決しようとする課題は（ａ）「水平電界駆動方式の液晶表示装置の開口率を向上させること」又は（ｂ）「水平電界を印加するための電極の数を容易に調節することができる液晶表示装置を提供すること」のどちらかと認められる。
　ここで、（ａ）の課題を解決するための構成として、「共通電極線をデータ線と平行に画素の長さ方向に形成して開口率を向上させる」（［０００８］）旨が記載されているが、請求項には当該構成が記載されていないので、課題（ａ）を解決していない発明も含まれている。（しかも、共通電極線をデータ線と平行に画素の長さ方向に形成すると、開口率が向上する理由も理解できない。）
　また、（ｂ）の課題を解決するための構成として、「共通電極及び画素電極を画素の長さ方向に配列することによってこれらの数を容易に調節することができる」（［０００８］）旨が記載されているが、請求項には当該構成が記載されていないので、課題（ｂ）を解決していない発明も含まれている。（しかも、共通電極及び画素電極を画素の長さ方向に配列すると、これらの数を容易に調節することができる理由も理解できない。）
　したがって、発明が解決しようとする課題及び発明の技術上の意義が理解できず、請求項に係る発明は、発明の課題を解決するための手段が反映されていない。
　よって、この出願の発明の詳細な説明は、請求項１〜６に係る発明について、経済産業省令で定めるところにより記載されたものでない。」
　
３　特許法第３６条第４項第１号に規定する要件を満たしていないことについて
　
（１）本願の請求項１に係る発明
　本願の請求項１に係る発明（以下「本願発明」という。）は、これを分説すると、次のとおりである。
　
「Ａ　液晶表示板であって、
　Ｂ　基板と、
　Ｃ　前記基板上に形成された
ゲート線
　Ｄ　前記
ゲート線
データ線
　Ｅ　前記
ゲート線
データ線
　Ｆ　前記画素領域に形成され、棒状形状を有し、前記第１画素電極に対し　　　て鋭角をなす第２画素電極と、
　Ｇ　前記第１画素電極と前記第２画素電極との間に形成され、三角形状部　　　と、前記三角形状部から延長して形成され前記第１画素電極に沿う第　　　１延長部と、前記三角形状部から延長して形成され前記第２画素電極　　　に沿う第２延長部と、を有する中央画素電極と、
　Ｈ　前記第１画素電極、前記第２画素電極、及び前記中央画素電極を接続　　　する画素電極線と、
　Ｉ　前記第１画素電極、前記第２画素電極、及び前記中央画素電極を接続　　　する画素信号線と、
　Ｊ　前記
ゲート線
データ線
画素電極線
薄膜ト
ランジスタ
　Ｋ　前記基板上に形成され、前記第１画素電極と第２画素電極と前記中央　　　画素電極とに垂直な電界を形成する共通電極と、を備え、
　Ｌ　三角形状部の頂点と底辺の一端とを結ぶ第１辺を底辺からさらに延在　　　させた仮想直線に沿って前記第１延長部は形成され、前記頂点と底辺　　　の他端とを結ぶ第２辺を底辺からさらに延在させた仮想直線に沿って　　　前記第２延長部は形成され、
　Ｍ　
少なくとも前記中央画素電極の三角形状部は前記共通電極と重畳し
　Ｎ　
前記三角形状部の頂点は前記画素電極線に連結され、前記第１延長部
及び前記第２延長部の終端は前記画素信号線に接続されている、
　Ｏ　
前記画素電極線は前記データ線に沿って形成され、
　Ｐ　
前記中央画素電極の前記三角形状部は、前記ゲート線に垂直である方
向に沿う仮想直線であって、前記画素領域の中央を横切る仮想直線上
に形成されている、
　Ｑ　液晶表示板。」
　
（２）本願明細書の記載内容
　本願明細書には、以下の記載がある。
ア　「【０００４】
　本発明の課題は、水平電界駆動方式の液晶表示装置の開口率を向上させることである。本発明の他の課題は、水平電界を印加するための電極の数を容易に調節することができる液晶表示装置を提供することである。」
　
イ　「【背景技術】
【０００２】
　水平電界による液晶駆動方式として、従来技術が特許文献１に示されている。しかし、特許文献１に示された液晶表示装置は、水平電界を印加するための共通電極と画素電極のうち、共通電極と共通電極に連結され、共通信号を伝達する共通信号線が互いに隣接部分である画素の上部及び下部において液晶駆動の歪曲が発生する問題がある。このような歪曲を隠すためにブラックマトリックスを広く形成すると、開口率が減少する問題が生じる。
【０００３】
　また、画素電極に電圧を印加するデータ線とこれに平行な画素電極または共通電極との間にカップリング効果（ｃｏｕｐｌｉｎｇ  ｅｆｆｅｃｔ）または歪曲された駆動が発生し、光が漏れ、これによってクロストークが発生する問題がある。これを隠すためにデータ線に隣接した共通電極を必要以上に広く形成し、開口率を減少させる原因となる。また、共通電極と画素電極は、データ線と平行にゲート線とデータ線で囲まれた画素の長さ方向と平行に形成され、電極の数を増やすことが容易ではない。
【特許文献１】米国特許第５，５９８，２８５号  」
　
ウ　「【発明の効果】
【０００８】
　本発明の実施例によれば、共通電極線をデータ線と平行に画素の長さ方向に形成して開口率を向上させることができ、光漏れ現象を減らすことができる。また、台形状の画素領域の辺と共通電極及び画素電極を平行に配列することによって画素領域の角部まで画像を表示することができるので、画素の表示能力を極大化できる。また、共通電極及び画素電極を画素の長さ方向に配列することによってこれらの数を容易に調節することができる。」
　
エ　「【００１２】
  本発明による液晶表示装置用薄膜トランジスタ表示板には、台形状の画素領域を定義するゲート線とデータ線が配置され、共通電極に連結されている共通信号線はデータ線と平行に画素領域の長さ方向に延びている。また、液晶分子はデータ線及び共通信号線と垂直に初期配向され、データ線と共に画素領域を定義するゲート線は共通電極と平行に形成されている。」
　
オ　「【００１５】
  また、ゲート線１２１と同一層である絶縁基板１１０上部には、縦方向に平行に延びている共通電極線１３８、１３２が形成され、これら１３８、１３２を連結し、ゲート線１２１と平行に配列されている共通電極１３４が多数形成されている。」
　
カ　「【００２３】
  このような本発明の第１の実施例による液晶表示装置用薄膜トランジスタ表示板においては、共通電極線１３２がデータ線１７１に平行に画素の長さ方向に形成され、しかもデータ線１７１に垂直に液晶分子が初期配向されるように配向膜１１がラビングされている。そのため、データ線１７１と共通電極線１３２に電圧差が発生して液晶分子が駆動されても、液晶分子は初期配向方向と同一方向に駆動されるので、暗く表示され側面クロストークが発生しない。従って、データ線１７１に隣接した共通信号線２４を細く形成して画素の開口率を増加させることができる。
【００２４】
  また、従来の構造とは異なって、共通電極１３４と画素電極１７４を画素領域の長さ方向に並べて配列し、電極１３４、１７４の数を容易に調節きる。画素領域の大きさに応じて共通電極１３４及び画素電極１７４の間隔を調節することができるので好適である。
【００２５】
  また、画素領域の最外殻に配置されている画素電極１７４及び共通電極１３４が、ゲート線１２１とデータ線１７１により定義される画素領域の辺と平行に配置されているので、画素領域の角部まで画像を表示することができる。また、テクスチャ（ｔｅｘｔｕｒｅ）によって表示不良が発生する画素領域の中央に維持蓄電器を配置して、画素の透過率が低下することを防止することができ、これを通じて画素の透過率を高めることができる。」
　
（３）判断
ア　上記（１）のとおり、本願発明は、共通電極線及び共通電極に関して構成Ｋを、画素電極に関して構成ＥないしＩ、及び、ＬないしＰを要件として備えるものと認められる。
　
イ　上記（２）イには、【背景技術】において、「水平電界による液晶駆動方式」の「液晶表示装置は、水平電界を印加するための共通電極と画素電極のうち、共通電極と共通電極に連結され、共通信号を伝達する共通信号線が互いに隣接部分である画素の上部及び下部において液晶駆動の歪曲が発生する問題がある。このような歪曲を隠すためにブラックマトリックスを広く形成すると、開口率が減少する問題が生じる」こと、及び、「画素電極に電圧を印加するデータ線とこれに平行な画素電極または共通電極との間にカップリング効果（ｃｏｕｐｌｉｎｇ  ｅｆｆｅｃｔ）または歪曲された駆動が発生し、光が漏れ、これによってクロストークが発生する問題がある。これを隠すためにデータ線に隣接した共通電極を必要以上に広く形成し、開口率を減少させる原因となる。また、共通電極と画素電極は、データ線と平行にゲート線とデータ線で囲まれた画素の長さ方向と平行に形成され、電極の数を増やすことが容易ではない」問題があることが記載されている。
　
ウ　上記イの問題に対して、上記（２）ウに、【発明の効果】として「本発明の実施例によれば、共通電極線をデータ線と平行に画素の長さ方向に形成して開口率を向上させることができ、光漏れ現象を減らすことができる。また、台形状の画素領域の辺と共通電極及び画素電極を平行に配列することによって画素領域の角部まで画像を表示することができるので、画素の表示能力を極大化できる。また、共通電極及び画素電極を画素の長さ方向に配列することによってこれらの数を容易に調節することができる」とされていることが認められる。
　
エ　しかるところ、上記ウでは、「共通電極線をデータ線と平行に画素の長さ方向に形成」することと、「開口率を向上させることができ、光漏れ現象を減らすことができる」こととの関係、「台形状の画素領域の辺と共通電極及び画素電極を平行に配列する」ことと、「画素領域の角部まで画像を表示することができる」こととの関係、及び、「共通電極及び画素電極を画素の長さ方向に配列する」ことにより、「これらの数を容易に調節することができる」こととの関係は、必ずしも明確ではないが、上記（２）エないしカに上記（２）ウに沿った記載が認められる。
　
オ　しかしながら、本願発明は「共通電極線をデータ線と平行に画素の長さ方向に形成」すること、「配向膜のラビングの方向」、「台形状の画素領域の辺と共通電極及び画素電極を平行に配列する」こと、及び、「共通電極及び画素電極を画素の長さ方向に配列する」ことを要件とするものではなく、本願発明が「共通電極線をデータ線と平行に画素の長さ方向に形成して開口率を向上させることができ、光漏れ現象を減らすことができる」、「画素領域の角部まで画像を表示することができるので、画素の表示能力を極大化できる」、及び、「これら（共通電極及び画素電極）の数を容易に調節することができる」という課題とどのような関係にあるのか理解できるように記載されたものであるとはいえない。
　
カ　そうすると、発明の詳細な説明には、かかる共通電極線及び共通電極に関して構成Ｋを、画素電極に関して構成ＥないしＩ、及び、ＬないしＰを要件として備える構成とすることの技術上の意義が、出願当初の明細書、特許請求の範囲又は図面中に全く記載されておらず、本願優先時の技術常識を参酌して理解することもできない。
　
（４）まとめ
　したがって、この出願の発明の詳細な説明は、請求項１に係る発明について、経済産業省令で定めるところにより記載されたものでないから、特許法第３６条第４項第１号に規定する要件を満たしていない。
　
　よって結論のとおり審決する。